(57)【要約】【課題】内部に貯留された水溶液が外部に出ることを防止可能な容器、及び除湿装置を提供すること。【解決手段】  除湿装置１０の容器１５は、少なくとも一部が、水蒸気が通過可能であって、かつ、前記除湿剤が水蒸気により潮解して生成された水溶液の通過を規制する透湿部Ｘに形成された容器本体２０と、容器本体２０に固定されて透湿部Ｘの表面全面を覆う、水蒸気が通過可能なカバー部材３０と、を備える。【選択図】      図２
2019116299.tif 000002
【特許請求の範囲】
【請求項１】
除湿剤を収容可能な容器であって、
少なくとも一部が、水蒸気が通過可能であって、かつ、前記除湿剤が水蒸気により潮解して生成された水溶液の通過を規制する透湿部に形成された容器本体と、
前記容器本体に固定されて前記透湿部の表面全面を覆う、水蒸気が通過可能なカバー部材と、
を具備した容器。
【請求項２】
前記カバー部材は、前記水蒸気が通過可能な複数の孔を有する、
請求項１に記載の容器。
【請求項３】
カバー部材は孔径が０．０１ｍｍ以上であって１０ｍｍ以下の孔を有する孔開きフィルムを含む、請求項１に記載の容器。
【請求項４】
前記カバー部材の表面に図柄を有する、請求項１に記載の容器。
【請求項５】
除湿剤と、
少なくとも一部が、水蒸気が通過可能であって、かつ、前記除湿剤が水蒸気により潮解して生成された水溶液の通過を規制する透湿部に形成された容器本体、並びに、前記容器本体に固定されて前記透湿部の表面全面を覆う、水蒸気が通過可能なカバー部材と、を具備した容器と、
を具備した除湿装置。
【請求項６】
前記カバー部材は、前記水蒸気が通過可能な複数の孔を有する、
請求項５に記載の除湿装置。
【請求項７】
カバー部材は孔径が０．０１ｍｍ以上であって１０ｍｍ以下の孔を有する孔開きフィルムを含む、請求項５に記載の除湿装置。
【請求項８】
前記カバー部材の表面に図柄を有する、請求項５に記載の除湿装置。
【発明の詳細な説明】
【技術分野】
【０００１】
本発明は、内部に除湿剤を収容する容器、及び除湿装置に関する。
【背景技術】
【０００２】
従来、袋状の容器に潮解性の除湿剤を収容した除湿装置が知られている。この種の容器として、当該容器内に空間を構成する部分の一部を、微多孔膜を含むシート部材で形成した容器が知られている。微多孔膜は、水蒸気を通し、かつ、除湿剤が水蒸気により潮解して生成された水溶液の通過を規制する孔が複数形成された膜である（例えば、特許文献１参照）。微多孔膜を通過して容器内に侵入した空気中の水蒸気は、除湿剤と反応して水溶液となり、容器内に溜まる。
【先行技術文献】
【特許文献】
【０００３】
【特許文献１】実開昭６０−５２２５６号公報
【発明の概要】
【発明が解決しようとする課題】
【０００４】
上述のように、内部の空間を構成する部分の一部が微多孔膜を含むシート部材から形成された容器を有する除湿装置には、以下の問題があった。すなわち、微多孔膜に汚れ等が付着すると、汚れ等の性質によっては、容器内の水溶液が微多孔膜を通過して外部に出るという問題がある。
【０００５】
一例として、使用者が、ハンドクリーム等の付着した手で微多孔膜に触れると、ハンドクリーム等に含まれる界面活性成分が微多孔膜に付着する虞がある。界面活性成分が付着した所は表面張力が下がり、容器内の水溶液が微多孔膜を通過して外部に出てしまうため、除湿装置の周囲が汚れる。
【０００６】
この為、本発明は、内部に貯留された水溶液が外部に出ることを防止可能な容器、及び除湿装置に関する。
【課題を解決するための手段】
【０００７】
本発明の容器は、除湿剤を収容可能な容器であって、容器本体と、カバー部材と、を備える。前記容器本体は、少なくとも一部が、水蒸気が通過可能であって、かつ、前記除湿剤が水蒸気により潮解して生成された水溶液の通過を規制する透湿部に形成される。前記カバー部材は、前記容器本体に固定されて前記透湿部の表面全面を覆う。前記カバー部材は、水蒸気が通過可能に形成される。
【０００８】
本発明の除湿装置は、除湿剤と、容器と、を備える。前記容器は、容器本体と、カバー部材と、を備える。前記容器本体は、少なくとも一部が、水蒸気が通過可能であって、かつ、前記除湿剤が水蒸気により潮解して生成された水溶液の通過を規制する透湿部に形成される。前記カバー部材は、前記容器本体に固定されて前記透湿部の表面全面を覆う。前記カバー部材は、水蒸気が通過可能に形成される。
【発明の効果】
【０００９】
本発明によれば、カバー部材によって、透湿部の表面に付着すると表面張力を低下させて漏水を起こさせる汚れ等が、透湿部に付着することを防止可能であるので、容器内の水溶液が外部にもれ出ることを防止できる。
【００１０】
さらに、カバー部材の表面に印刷等によりインク等を用いて図柄を形成することが可能になるため、商品の意匠性や商品価値を上げる事ができる。
【図面の簡単な説明】
【００１１】
【図１】本発明の実施形態に係る除湿装置を前方から見た状態を一部切り欠いて示す斜視図。
【図２】本発明の実施形態に係る除湿装置を後方から見た状態を、一部切り欠いて示す斜視図。
【図３】本発明の実施形態に係る除湿装置に用いられる容器の後壁部を示す断面図。
【発明を実施するための形態】
【００１２】
本発明の一実施形態に係る除湿装置１０を、図１乃至図３を用いて説明する。図１は、除湿装置１０を前方から見た状態を一部切り欠いて示す斜視図である。図２は、除湿装置１０を後方から見た状態を一部切り欠いて示す斜視図である。図３は、除湿装置１０に用いられる容器１５の後壁部２２を示す断面図である。
【００１３】
図１及び図２に示すように、除湿装置１０は、容器１５、及び、容器１５内に収容された除湿剤４０を有している。  
容器１５は、容器本体２０、及び容器本体２０に固定されたカバー部材３０を有している。容器本体２０は、内部に閉塞した空間Ｒを有している。さらに、容器本体２０は、少なくとも一部が透湿部Ｘに形成されている。
【００１４】
透湿部Ｘは、容器１５の内部の空間Ｒを構成する壁部一部である。透湿部Ｘは、後述する微多孔膜２４を含むシート部材から形成された部分であり、水蒸気を通し、かつ、容器本体２０内に貯留された水溶液を通さない性質を有する部分である。容器本体２０内に貯留された水溶液は、本実施形態では、除湿剤４０が水蒸気により潮解して生成された水溶液である。
【００１５】
容器本体２０は、一例として、複数のシート部材を、例えば熱による溶着によって固定することにより構成された所謂スタンディングパウチ容器である。容器本体２０は、立位状態で机等の載置部１上に載置可能に構成されている。
【００１６】
本実施形態では、容器本体２０は、一例として、前壁部２１、後壁部２２、及び底壁部２３を有している。容器本体２０は、前壁部２１、後壁部２２、及び底壁部２３により、内部に除湿剤４０を収容可能な空間Ｒを形成する。さらに、容器本体２０は、前壁部２１、後壁部２２、及び底壁部２３から構成されることから、前壁部２１の外側の面となる表面から構成される前面５、後壁部２２の外側の面となる表面から構成される後面６、及び、底壁部２３の外面となる表面から構成される下面７を有する。すなわち、容器本体２０は、複数面として、前面５、後面６、及び下面７を有する。
【００１７】
前壁部２１は、透明であり、空気、及び、容器１５内に貯留された水溶液を通さないシート部材から形成されている。前壁部２１は、空気を通さないことから、水蒸気も通さない。前壁部２１は、一例として、ポリアミドやポリエチレン、ポリプロピレン、ポリエステル、塩化ビニル等から形成されたプラスチックフィルムを有している。前壁部２１は、一例として、長方形状に形成されている。
【００１８】
図３に示すように、後壁部２２は、水蒸気を通し、且つ、容器本体２０内に貯留された水溶液の通過を規制する微多孔膜２４を含むシート部材から形成されている。このシート部材は、具体的には、図３に示すように、空気を通し、かつ、除湿剤４０が水蒸気により潮解して生成された水溶液を通さない性質を有する微多孔膜２４、及び、この微多孔膜２４の両面のそれぞれに固定された不織布２５を有するシート部材である。微多孔膜２４の厚みは、一例で、２０μｍ以上であって２００μｍ以下である。不織布２５は、目付けで１０ｇ以上であって１００ｇ以下である。
【００１９】
微多孔膜２４は、複数の孔を有する膜である。これらの孔のそれぞれは、水蒸気を通す大きさを有し、かつ、除湿剤４０が水蒸気により潮解して生成された水溶液が通らない大きさを有する。本実施形態では一例として、微多孔膜２４の水蒸気透過度は、２０００ｇ／ｍ２・２４ｈ〜８０００ｇ／ｍ２・２４ｈである。換言すると、１ｍ２あたり、１日で２０００ｇ以上であって８０００ｇ以下の範囲の水蒸気を透過可能に形成されている。微多孔膜２４の孔は、例えば０．１μｍ〜１０μｍの径を有している。微多孔膜２４は、この孔を複数有することにより、水蒸気を通過させ、水溶液の通過を規制する。不織布２５は、水蒸気が通過可能に形成されている。不織布２５の水蒸気透過度は特に限定されないが、８０００ｇ／ｍ２・２４ｈ以上、好ましくは、１００００ｇ／ｍ２・２４ｈ以上である。
【００２０】
後壁部２２は、一例として、前壁部２１と同形状に形成されている。このように構成された後壁部２２の一方の短手方向に沿う第１の後壁部用縁部２２ａは、前壁部２１の一方の短手方向に沿う第１の前壁部用縁部２１ａに、一例として熱による溶着により、固定されている。
【００２１】
後壁部２２の長手方向に沿う第２の後壁部用縁部２２ｂは、前壁部２１の長手方向に沿う第２の前壁部用縁部２１ｂに、一例として熱による溶着によって、固定されている。後壁部２２の長手方向に沿う第３の後壁部用縁部２２ｃは、前壁部２１の長手方向に沿う第３の前壁部用縁部２１ｃに、一例として熱による溶着によって、固定されている。
【００２２】
このように構成された後壁部２２は、溶着される溶着代以外の部分が、容器１５の内部の空間Ｒと外部との間で空気が移動可能となる、透湿部Ｘとなる。すなわち、溶着される部分は孔がつぶれることによって空気が通過不能となり、溶着されない部分は孔を通して空気が移動可能となる。透湿部Ｘは、本発明で言う、透湿部の一例である。
【００２３】
透湿部Ｘは、空気が通過可能であることから水蒸気が通過可能であり、かつ、除湿剤４０が水蒸気により潮解して生成された水溶液の通過を規制する微多孔膜２４を含むシート部材で形成された部分である。また、後壁部２２のうち、溶着される周縁３４は、内部の空間Ｒを構成する部分ではなく、内部の空間Ｒに空気を導く通路として機能する部分ではないので、透湿部Ｘではない。
【００２４】
底壁部２３は、容器本体２０内に貯留された水溶液、及び、空気を通さない性質を有するシート部材から形成されている。底壁部２３は、一例として、前壁部２１を構成するシート部材と同じシート部材から形成されている。
【００２５】
底壁部２３は、一例として、長方形状に形成されている。底壁部２３は、前壁部２１の長手方向の他端部、及び後壁部２２の長手方向の他端部に、例えば熱により、溶着されている。底壁部２３は、前壁部２１及び後壁部２２を互いに引き離すことによって、図１に示すように展開される。なお、底壁部２３を折り畳むことによって、容器本体２０を扁平にすることが可能となる。
【００２６】
このように構成された容器本体２０は、前面５、後面６、及び下面７のうちの一面となる後面６が、微多孔膜２４及び不織布２５を有するシート部材から形成される。さらに容器本体２０は、内部に除湿剤４０が収容されると、除湿剤４０によって前壁部２１及び後壁部２２が互いに離れることにより、底壁部２３が展開される。底壁部２３が展開されると、前壁部２１の底壁部２３側の短手方向に沿う縁、及び、後壁部２２の底壁部２３側の短手方向に沿う縁が、環状に連続する。
【００２７】
このように、前壁部２１の短手方向に沿う縁、及び後壁部２２の短手方向に沿う縁が環状に連続することにより、容器本体２０は、これら縁を下端縁として、載置部１上に載置可能となる。
【００２８】
カバー部材３０は、後壁部２２の全面、すなわち、透湿部Ｘ及び周縁３４を覆う。カバー部材３０は、水蒸気が通過可能であるとともに、後壁部２２に、外部から異物が付着することを防止可能な材料から形成されている。カバー部材３０は、本実施形態では、一例として、樹脂シート部材３２、及び、樹脂シート部材３２の一方の主面に固定された紙シート部材３３を有している。
【００２９】
樹脂シート部材３２は、水及び空気を通さない性質を有する材料から形成されたシート部材に、水蒸気を含む空気が通過可能な孔を複数形成することにより、水蒸気を通すことが可能に構成されたシート部材である。樹脂シート部材３２は、具体例として、上下左右に１ｍｍ以上であって２ｍｍ以下の間隔に連続して配置された孔３２ａを有するポリエチレンから形成されたプラスチックフィルムから形成されている。孔３２ａは、樹脂シート部材３２を貫通している。孔３２ａの径は、０．０１ｍｍ以上であって１０ｍｍ以下の範囲である。このように、樹脂シート部材３２は、本発明で言う、孔径０．０１ｍｍ以上であって１０ｍｍ以下の孔を有する孔開きフィルムの一例である。本実施形態では、孔３２ａの径は、具体例として、０．５ｍｍである。
【００３０】
カバー部材３０を形成する際に、樹脂シート部材３２の孔３２ａの径を、０．０１ｍｍ以上であって１０ｍｍ以下の範囲で水蒸気を含む空気がスムーズに透湿部Ｘを通過する径に設定することによって、除湿装置１０を、当該除湿装置１０が用いられる環境に適した除湿性能に設定することができる。
【００３１】
例えば、除湿装置１０が、湿度が比較的高い環境で用いられる場合では、孔３２ａの径を大きくする。孔３２ａの径を大きくすることによって、水蒸気が樹脂シート部材３２を通過しやすくなるので、除湿装置１０の周囲の湿度を速やかに低減できる。
【００３２】
紙シート部材３３は、一例として、耐油シートである。紙シート部材３３は、水蒸気を含む空気が通過可能に形成されている。なお、紙シート部材３３は、紙シート部材３３を構成する繊維間の隙間を通して、空気が通過可能である。
【００３３】
このように構成されたカバー部材３０は、樹脂シート部材３２が水蒸気を含む空気を通過可能であり、紙シート部材３３も水蒸気を含む空気を通過可能であることから、除湿装置１０の外部の水蒸気を含む空気を後壁部２２側に通過可能である。
【００３４】
カバー部材３０は、樹脂シート部材３２が後壁部２２に対向する姿勢で、カバー部材３０の周縁３４の全周囲が後壁部２２の周縁２６に、例えば熱による溶着により、固定されている。カバー部材３０と後壁部２２との溶着部は、本実施形態では一例として、透湿部Ｘを囲む環状に形成される。周縁２６は、上述の、第１の後壁部用縁部２２ａ、第２の後壁部用縁部２２ｂ、第３の後壁部用縁部２２ｃを含む。
【００３５】
このように、カバー部材３０は、後壁部２２の透湿部Ｘ以外の部分に固定される。この為、カバー部材３０が後壁部２２との間の溶着部分によって、透湿部Ｘが狭くなることがない。カバー部材３０は、例えば、後壁部２２を前壁部２１と底壁部２３とに溶着するときに、後壁部２２と一体に溶着してもよい。このようにすることによって、後壁部２２の溶着部分とカバー部材３０との溶着部分とが重なるので、カバー部材３０は、後壁部２２の透湿部Ｘの表面の前面を覆うことが可能となる。
【００３６】
カバー部材３０は、後壁部２２に固定された状態で、後壁部２２との間に隙間Ｓを有している。もしもカバー部材３０に汚れ等が付着したとしても、この汚れは、隙間Ｓにより後壁部２２に付着することをより確実に防止できる。また、カバー部材３０の表面３５に印刷などによりインク等を用いて図柄３６を描いた場合に、隙間Ｓにより後壁部２２にインク等が付着することをより確実に防止できる。したがって、隙間Ｓにより容器１５内の水溶液が外部に漏れ出ることを、より確実に防止することができる。なお、図柄３６は、例えば、文字、絵、数字、及び記号の少なくとも１つである。すなわち、図柄３６は、ユーザにより視認可能なものであればよい。また、図柄３６は、印刷により形成されることに限定されない。他の例では、図柄３６は、手作業により描かれてもよい。
【００３７】
本実施形態では、カバー部材３０の、後壁部２２に固定される前の状態の幅は、後壁部２２の幅よりも短い。なお、ここで言う幅は、除湿装置１０を載置部１上に載置したときの上下方向に直交する方向である。そして、カバー部材３０は、その周縁３４を後壁部２２の周縁２６に合わせた状態で、後壁部２２に固定される。
【００３８】
このように、カバー部材３０の幅が、後壁部２２の幅よりも短く、さらに、カバー部材３０が、その周縁３４を後壁部２２の周縁２６に合わせた状態でカバー部材３０が後壁部２２に固定されることにより、カバー部材３０に対して後壁部２２がたわむ。このたわみにより、カバー部材３０と後壁部２２との間に隙間Ｓが設けられる。
【００３９】
なお、カバー部材３０の幅が、後壁部２２の幅よりも長くてもよい。カバー部材３０の幅が後壁部２２の幅よりも長い場合であっても、カバー部材３０の周縁３４を後壁部２２の周縁２６に合わせた状態でカバー部材３０を後壁部２２に固定することにより、カバー部材３０がたわんでカバー部材３０と後壁部２２との間に隙間が設けられる。
【００４０】
または、カバー部材３０の後壁部２２に固定される前の形状は、後壁部２２と同じであってもよい。この場合であっても、カバー部材３０の、後壁部２２に固定される周縁３４に囲まれる範囲が後壁部２２に密着することがないので、隙間Ｓが設けられる。
【００４１】
除湿剤４０は、一例として、塩化マグネシウムや硫酸マンガン、クエン酸、炭酸カリウム、水酸化ナトリウム、水酸化カルシウム、十酸化四リン、リン酸などの潮解性の除湿剤であり、具体的には、塩化カルシウムである。
【００４２】
なお、除湿剤４０である潮解性除湿薬剤の他に、必要に応じて従来から除湿装置で使用されている他の添加剤を混合することも可能である。他の添加剤としては、例えば、香料、消臭剤、防カビ剤、抗菌剤、増粘剤、及び色素の少なくとも１つである。
【００４３】
次に、除湿装置１０の動作を説明する。使用者は、除湿装置１０を把持すると、使用者の手は、前壁部２１、及びカバー部材３０に触れることとなる。このとき、カバー部材３０により使用者の手に付着したハンドクリーム等の界面活性成分を含む異物が、後壁部２２に付着することが防止される。
【００４４】
除湿装置１０の外部の水蒸気の一部は、カバー部材３０を通過して、後壁部２２とカバー部材３０との間の隙間Ｓに侵入する。後壁部２２とカバー部材３０との間の隙間Ｓに侵入した水蒸気は、後壁部２２を通過して容器本体２０内（空間Ｒ内）に侵入する。容器本体２０内に侵入した水蒸気は、除湿剤４０を潮解することによって水溶液となり、容器本体２０内に溜まる。
【００４５】
本実施形態では、このように構成された除湿装置１０は、カバー部材３０によって、後壁部２２の表面の全面が覆われる。この為、使用者が、ハンドクリーム等の界面活性成分を含む異物が付着した手で除湿装置１０に触れても、界面活性成分等の異物が後壁部２２に付着することを防止できる。この為、界面活性成分によって表面張力が下がり、後壁部２２を通して容器本体２０内の水溶液が外部に出ることが防止される。
【００４６】
また、カバー部材３０は、樹脂シート部材３２を含むシート部材で形成され、孔３２ａを通して水蒸気を容器本体２０側に通過させる。この為、孔３２ａの変更することによって除湿装置１０の除湿性能を変更できる。この為、孔３２ａを、孔３２ａの径を、適切に径に設定することによって、除湿装置１０を、当該除湿装置１０が使用される環境に適した性能に設定することが可能となる。
【００４７】
また、樹脂シート部材３２の孔３２ａの径を、０．０１ｍｍ以上であって１０ｍｍ以下にすることによって、容器本体２０の内部の空間Ｒに貯留された水溶液が、万が一、後壁部２２を通ってカバー部材３０側に漏れ出ても、孔３２ａが小さいので、漏れ出た水溶液がカバー部材３０を通って外部に出ることを防止できる。
【００４８】
さらに、カバー部材３０と後壁部２２との溶着箇所が透湿部Ｘを囲む環状に形成されるので、万が一、後壁部２２を杜ってカバー部材３０側に水溶液が漏れ出ても、カバー部材３０の縁は、溶着によりシールされるので、当該漏れ出た水溶液が容器１５から外部に漏れ出ることが防止される。
【００４９】
なお、本実施形態では、容器本体２０の複数面のうちの一面の一例である後面６が、微多孔膜２４を含むシート部材で形成されることによって、後面６の一部すなわち溶着される周縁３４以外の部分が透湿部Ｘに形成された。しかしながら、容器本体２０の後面以外の面が透湿部Ｘに形成されてもよい。この一例としては、前壁部２１が、水蒸気を通し、さらに、容器１５内に貯留された水溶液の通過を規制する微多孔膜２４を含むシート部材で形成されよい。このように、前壁部２１が微多孔膜２４を含むシート部材で形成された場合は、前面５となる前壁部２１のうちの透湿部Ｘが少なくともカバー部材３０で覆われる。
【００５０】
また、本実施形態では、カバー部材３０は、後面６の全体を覆うことによって、後壁部２２のうち空間Ｒを構成する透湿部Ｘを覆っている。しかしながら、本実施形態では、容器本体２０が、前壁部２１、後壁部２２、及び底壁部２３を溶着することによって構成されていることから、溶着代となる周縁３４は空間Ｒを構成する部分とはなっていない。このように、容器本体の一面が微多孔膜２４を含むシート部材から形成された場合であっても、空間Ｒを構成しない部分がある場合には、カバー部材３０は、この、空間Ｒを構成しない部分には設けられなくてもよい。
【００５１】
すなわち、後壁部２２が微多孔膜２４を含むシート部材で形成されるが、後壁部２２の周縁の熱により前壁部２１等に溶着される周縁３４は、内部の空間Ｒ内と容器１５の外部とを連通する部分とはならず、本発明で言う透湿部Ｘとはならない。このように、後壁部２２のうち、透湿部Ｘ以外の部分となる周縁３４（溶着代）は、カバー部材３０に覆われなくてもよい。
【００５２】
さらに、本実施形態では、後壁部２２が微多孔膜２４を含むシート部材で形成されたが、他の例では、後壁部２２の一部が微多孔膜２４を含むシート部材で形成されてもよい。この場合でも、カバー部材３０は、微多孔膜２４で形成された範囲のうち、少なくとも透湿部Ｘを覆う。このように、面の一部が微多孔膜２４を含むシート部材で形成された場合の、シート部材のうち透湿部Ｘ以外の部分は、例えば、微多孔膜２４を含むシート部材を、面の他の部分に固定するときの溶着代などの固定部分である。この固定部分は、面の微多孔膜２４を含むシート部材以外で形成された部分と重なったり、または、溶着されるので、内部の空間Ｒと連通する部分とはならないので、透湿部Ｘではない。
【００５３】
本実施形態では、透湿部Ｘを形成する、微多孔膜２４を含むシート部材は、微多孔膜２４、及び微多孔膜２４の両面のそれぞれに固定された不織布２５を有している。しかしながら、微多孔膜２４を含むシート部材は、他の例では、不織布２５を片面だけ有してもよいし、不織布２５を有していなくてもよい。このように、透湿部Ｘを構成するシート部材は、少なくとも微多孔膜２４を含んでいればよい。
【００５４】
本実施形態では、カバー部材３０は、本発明で言う孔開きフィルムの一例である、樹脂シート部材３２と、紙シート部材３３を有している。しかしながら、カバー部材３０は、他の例では、紙シート部材３３を有していなくてもよい。このように、カバー部材３０は、孔開きフィルムを含んでいればよい。
【００５５】
また、本実施形態では、カバー部材３０は、一例として、後壁部２２と、前壁部２１及び底壁部２３との溶接箇所に、溶接された。具体例としては、カバー部材３０は、後壁部２２と一体に、前壁部２１及び底壁部２３に溶接された、この為、カバー部材３０は、後壁部２２に固定されたときに、透湿部Ｘを狭めることがない。
【００５６】
しかしながら、他の例としては、カバー部材３０は、後壁部２２と前壁部２１との溶接箇所よりも内側、及び、後壁部２２と底壁部２３の溶接箇所よりも内側に、溶接されてもよい。この場合では、後壁部２２とカバー部材３０との溶接箇所の面積分、透湿部Ｘは狭くなるが、カバー部材３０は、透湿部Ｘの表面の前面を覆うことが可能となる。
【００５７】
また、本実施形態では、カバー部材３０は、一例として、溶着により後壁部２２に固定された。しかしながら、カバー部材３０を後壁部２２に固定する手段は、溶着以外であってもよい。カバー部材３０は、例えば、接着剤によって固定されてもよい。
【００５８】
また、本実施形態では、容器本体２０の一部が透湿部Ｘに形成された。他の例では、容器本体２０は、全体が透湿部Ｘに形成されてもよい。または、容器本体２０は、内部の空間Ｒを構成する部分の全体のみが、透湿部Ｘに形成されてもよい。
【００５９】
また、本実施形態では、透湿部を、微多孔膜２４を含むシート部材から形成した。他の例では、透湿部は、水蒸気が通過可能であって、かつ、除湿剤４０が水蒸気により潮解して生成された水溶液の通過を規制する不織布から形成されてもよい。具体例として、極細長繊維を重ねて熱と圧力で結合させた高密度不織布であってもよい。この場合、例えば後壁部２２をこの高密度不織布から形成する。このように、水蒸気が通過可能であって、かつ、除湿剤４０が水蒸気により潮解して生成された水溶液の通過を規制する高密度不織布から透湿部を形成しても、本実施形態と同様の効果が得られる。
【００６０】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００６１】
５…前面、６…後面、７…下面、１０…除湿装置、１５…容器、２０…容器本体、２１…前壁部、２２…後壁部、２３…底壁部、２４…微多孔膜、２５…不織布、３０…カバー部材、４０…除湿剤、Ｒ…空間、Ｓ…隙間、Ｘ…透湿部。
【図１】
2019116299.tif 000003
【図２】
2019116299.tif 000004
【図３】
2019116299.tif 000005